(57)【要約】      （修正有）【課題】ロックプレートの構成が簡単で、ロックプレートをスムーズにスライドさせることが可能な自動販売機の扉ロック装置を得る。【解決手段】外扉１の前面に設けた錠付きハンドル６および該ハンドル６に連結され、ハンドル６の操作により前記ロックバー９を上下にスライドさせる操作レバー１０からなる第１のロック手段と、スライド板１２の復帰の阻止が解除されるロックプレート１８からなる第２のロック手段とにより外扉１を二重にロックするものであって、前記第２のロック手段のスライド板１２は補助シリンダー錠７に連結された操作レバー１１の回動に連動して扉枠１ａを抜け出るように構成し、前記ロックプレート１８によるスライド板１２の復帰阻止位置を前記スイラド板１２が貫通する扉枠１ａの貫通孔１ａ-2の位置に定め、前記スライド板１２が扉枠１ａから抜け出た際にロックプレート１８が扉枠１ａの貫通孔１ａ-2を塞ぐようにする。【選択図】      図１
2006146637.tif 000002
【特許請求の範囲】
【請求項１】
キャビネット本体の開口端部に設けたロック受金と、外扉を形成する扉枠の凹所に装着して前記ロック受金に係合・離脱する上下スライド式のロックバーとを備えた自動販売機であって、前記外扉の前面に設けた錠付きハンドルおよび該ハンドルに連結され、ハンドルの操作により前記ロックバーを上下にスライドさせる操作レバーからなる第１のロック手段と、前記ハンドルに並べて外扉の前面に設けた補助シリンダー錠、該補助シリンダー錠に連結された操作レバー、前記扉枠を貫通してロックバーに連係するように配設させるとともに常時ロックバーに係合する方向に付勢され、かつ、前記補助シリンダー錠に連結された操作レバーの回動に連動してロックバーから離脱するスライド板および該スライド板がロックバーから離脱した状態を一時的に保持してスライド板の復帰を阻止するとともにロックバーの上昇に連動してスライド板の復帰の阻止が解除されるロックプレートからなる第２のロック手段を備えた自動販売機の扉ロック装置において、
前記扉枠を貫通してロックバーに連係するように配設されたスライド板は補助シリンダ錠に連結された操作レバーの回動に連動して扉枠を抜け出るように構成し、前記ロックプレートによるスライド板の復帰阻止位置を前記スイラド板が貫通する扉枠の貫通孔の位置に定め、前記スライド板が扉枠から抜け出た際にロックプレートが扉枠の貫通孔を塞ぐようにしたことを特徴とする自動販売機の扉ロック装置。
【請求項２】
請求項１に記載の自動販売機の扉ロック装置において、ロックプレートは基板と同一面に形成されたロック片と、基板面に垂直に折り曲げられた係合片と、扉枠を挟んで基板面と平行となるように折り曲げられたガイド片とからなることを特徴とする自動販売機の扉ロック装置。
【発明の詳細な説明】
【技術分野】
【０００１】
本発明は、自動販売機におけるキャビネット本体の前面に開閉自在に配設された外扉の扉ロック装置、特にハンドル操作によるロックと併せて外扉を二重にロックする扉ロック装置に関する。
【背景技術】
【０００２】
自動販売機は、周知のようにキャビネット本体の前面に開閉自在な外扉が配設され、キャビネット本体の前面を閉塞するように外扉を閉じた通常時には外扉が閉位置から開かないようにロックしている。図４は一般的に良く知られている缶飲料などを販売する自動販売機の正面図である。図４において、１は断熱材で囲まれた庫内に缶飲料などを格納したキャビネット本体の前面にヒンジにより開閉自在に装着された外扉、２は販売する商品の商品見本３を陳列して展示するディスプレイ室、４は硬貨投入口，紙幣投入口，返却レバーなどを配備した操作パネル、５は商品取出口であり、操作パネル４にはシリンダー錠付きのハンドル６と補助シリンダー錠７が組付けられている。そして、前記シリンダー錠付きのハンドル６の回転操作に連係して外扉１をロックする第１のロック手段を構成し、前記補助シリンダー錠７の操作に連係して外扉１をロックする第２のロック手段を構成し、前記第１のロック手段と第２のロック手段により外扉１は二重にロックされるように構成されている（例えば、特許文献１参照）。
【０００３】
前記第１のロック手段と第２のロック手段を備えた扉ロック装置の概略構成図を図５に示す。図５は外扉の反ヒンジ側の自由端を背面から見たものであり、８はキャビネット本体の開口端から前方に突き出すように取付けられたフック状のロック受金であり、キャビネット本体の上下２箇所ないし上中下の３箇所に設けられている。９は外扉１の背面側に装着して前記ロック受金８に係合・離脱するように上下方向へスライド可能に案内支持されたＵチャンネル形のロックバー、１０は外扉２の前面に設けた前記シリンダー錠付きのハンドル６のハンドル軸６ａの後端に連結して前記ロックバー９に連繋させた操作レバーであり、シリンダー錠付きのハンドル６と操作レバー１０とで第１のロック手段を構成している。１１は前記第１のロック手段のハンドル６に並べて外扉１の前面に配した補助シリンダ錠７の後端に取付けた操作レバー、１２は前記操作レバー１１の回動に連動して左右方向にスライド移動するスライド板であり、このスライド板１２は復帰ばね（引っ張りばね）１３により常時ロックバー９の側面に開口した角穴９ｃに係合するように付勢されている。前記補助シリンダ錠７，スライド板１２等により第２のロック手段を構成している。なお、ロックバー９には周知のように、前記ロック受金８および操作レバー１０に対応して角穴９ａ，９ｂが開口している。
【０００４】
図５は第１のロック手段および第２のロック手段が外扉１を閉位置にロックした状態、すなわち、ロックバー９が下降して、その角穴９ａがロック受金８に係合し、かつ操作レバー１０が角穴９ａの下端に当接し、さらに、スライド板１２が角穴９ｃに係合して前記ロックバー９を上方に移動できないように鎖錠して外扉１が開かないように二重にロックしている。この状態から外扉１を開放するには、補助シリンーダ錠７のキー操作（図においてキーを反時計方向に回動させる）により操作レバー１１を介してスライド板１２を左方向にスライドさせてロックバー９の側面に開口した角穴９ｃから離脱させ、次いで、シリンダー錠付きのハンドル６をキー操作により開錠した上で時計方向に９０°回動させると操作レバー１０を介してロックバー９が上方に押し上げられ、これによりロック受金８とロックバー９との係合が外れて外扉１を自由に開くことができるようになる。ハンドル６を９０°回動させることにより上方に押し上げられたロックバー９は不図示の係止機構のより上昇位置に保持される（係止機構については例えば特許文献２により知られている）。そして、外扉１を閉じると前記係止機構によるロックバー９の保持が解除され、ロックバー９が自動的に下降してロック受金８に係合する。その後、補助シリンダー錠７のキー操作により施錠すると、図５で示すようにスライド板１２がロックバー９の側面に開口した角穴９ｃに嵌入してロックバー９に係合し、前記した操作レバー１０と併せて外扉１を二重にロックする。
【０００５】
ここで、前記第２のロック手段を構成する補助シリンダー錠７，スライド板１２は図６に示すように構成されている。すなわち、図６において、１４は補助シリンダー錠７とスライド板１２を保持する取付金であり、この取付金１４は外扉１（図５参照）の背面に設けた後述するケースにねじ止めして固定される。前記取付金１４は補助シリンダー錠７を固定する連結部１４ａを備えるとともに、その底面にスライド板１２を案内支持する案内溝１４ｂを備えている。スライド板１２はその後端からＬ字形に屈曲して上下に突き出した連結板１２ａを有し、その連結板１２ａの下端側に取付金１４の案内溝１４ｂに嵌挿される係合片１２ｂが突設されている。また、スライド板１２の連結板１２ａと取付金１４との間には復帰ばね（引っ張りばね）１３が張架されている。そして、前記取付金１４の連結部１４ｃに補助シリンダー錠７の後端部が固定され、該シリンダー錠７の軸端に取付けた操作レバー１１をスライド板１２の連結板１２ａに連繋させる。
【特許文献１】特開２００３−７４２４０号公報
【特許文献２】実公平８−２７８２号公報
【発明の開示】
【発明が解決しようとする課題】
【０００６】
前述した図５で説明したとおり、第２のロック手段のロックを解除する際、補助シリンダー錠７のキー操作により操作レバー１１を介してスライド板１２を左方向にスライドさせてロックバー９の側面に開口した角穴９ｃから離脱させる。この時、スライド板１２の連結板１２ａと取付金１４との間には復帰ばね（引っ張りばね）１３が張架されていることから、スライド板１２をロックバー９の側面に開口した角穴９ｃから離脱させた状態を保持しておかねばスライド板１２が復帰ばね１３により復帰してスライド板１２が角穴９ｃに嵌入してしまい、第２のロック手段のロックを解除できなくなる。このため、従来装置においては、図７乃至図１０に示したロックプレート１５を用いてスライド板１２の復帰を一時的に阻止するように構成されている。
【０００７】
図７乃至図１０は従来装置の扉ロック装置を示し、図７は図６に対応する背面図、図８は図７のＢ−Ｂ断面図、図９は図７の斜視図、図１０はロックプレートの斜視図である。図７乃至図１０において、図５，図６に示すものと同一のものには同一の符号を付してその説明を省略する。図７乃至図１０において、１５がロックプレートであり、このロックプレート１５は図１０に示すように基板１５ａから一方向に折り曲げられたロック板１５ｂとガイド板１５ｃ、およびロック板１５ｂとガイド板１５ｃとは反対方向に折り曲げられた係合板１５ｄとからなり、ロック板１５ｂはスライド板１２の連結板１２ａと係合してスライド板１２の復帰を阻止する機能を有し、ガイド板１５ｃは後述するカバー１７により案内支持され、基板１５ａとともにロックプレート１５を案内支持する機能を有し、係合板１５ｄは扉枠１ａを貫通するとともに外扉１の凹所１ｂ（図８参照）に装着されたロックバー９と係合してロックプレート１５をロックバー９と連動して移動させる機能を有する。第１のロック手段を構成する操作レバー１０と第２のロック手段を構成するスライド板１２は扉枠１ａを貫通してロックバー９の角穴９ａ，９ｃにそれぞれ係合している。なお、図７乃至図９において、１６は第１のロック手段と第２のロック手段を格納する箱状のケースであり、１７はケース１６の開口面を覆うカバー（図８ではカバーが取り外されている）であり、カバー１７はねじによりケース１６に固着されている。また、１ｃは外扉１とキャビネット本体との間の隙間を塞ぐ防盗板である。
【０００８】
図７乃至図９に示すように前記ロックプレート１５は基板１５ａの面を扉枠１ａの面に沿わせて上下方向にスライド自在に装着されている。ロックプレート１５のロック板１５ｂは第２のロック手段がロック状態にある場合にスライド板１２の連結板１２ａの上縁に載ってロックプレート１５が下降するのを阻止しており、ガイド板１５ｃは図９に示すようにカバー１７に形成された上下方向に延在する開口１７ａを通してカバー１７上面に延びており、係合板１５ｄは扉枠１ａを貫通してロックバー９の角穴９ｄに嵌挿されている。図７乃至図９は第２のロック手段がロック状態にある場合を示しており、この状態ではロック板１５ｂがスライド板１２の連結板１２ａの上縁に載ってロックプレート１５が上昇した待機位置に保持されている。この状態から補助シリンダー錠７（図５参照）をキー操作により開錠させると操作レバー１１が図７において反時計方向に回動する。この操作レバー１１の回動に連動してスライド板１２が左方向（図８）にスライドしてロックバー９の側面に開口した角穴９ｃから離脱する。スライド板１２がロックバー９の角穴９ｃから離脱した後、さらにスライド板１２が左方向にスライドするとロックプレート１５のロック板１５ｂがスライド板１２の連結板１２ａの上縁から外れて下降し、ロック板１５ｂが扉枠１ａと連結板１２ａとの間に進入してスライド板１２の復帰を阻止する状態となる。この時、ロックバー９の角穴９ｄに嵌挿されたロックプレート１５の係合板１５ｄが開口９ｄの下縁に当接してロックプレート１５を下降停止位置に保持する。そして、図５に示したハンドル６の回転操作により操作レバー１０を介してロックバー９が上方に押し上げられると、このロックバー９の上昇に伴ってロックプレート１５が上昇する。ロックプレート１５の上昇によりロック板１５ｂがスライド板１２の連結板１２ａの上縁まで上昇するとロック板１５ｂによるスライド板１２の復帰阻止状態が解除され、スライド板１２は復帰ばね１３の付勢力によって右方向（図８）に移動する。前記ロック板１５ｂによるスライド板１２の復帰阻止状態が解除された時、ロックバー９の角穴９ｃはスライド板１２の対峙位置から上昇しており、スライド板１２はロックバー９の側面に当接した待機状態となる。この状態はロックバー９の上昇によりロック受金８（図５参照）とロックバー９との係合が外れるまでの過程において実行される。ロック受金８（図５参照）との係合が外れるまで上方に引き上げられたロックバー９は不図示の係止機構のより上昇位置に保持されるので、外扉１を開放した際にはスライド板１２がロックバー９に当接した待機状態に維持される。そして、外扉１を閉じると前記係止機構によるロックバー９の保持が解除され、ロックバー９が自動的に下降してロック受金８に係合するとともにロックバー９の角穴９ｃが待機状態のスライド板１２に対峙してスライド板１２は自動的に開口９ｃに嵌挿される。
【０００９】
前述した図７乃至図１０に示す従来装置においてはロックプレート１５によりスライド板１２の復帰を一時的に阻止するとともにロックバー９と連係してスライド板１２を自動復帰させる点で優れている。しかしながら、ロックプレート１５はロック板１５ｂがスライド板１２の連結板１２ａと扉枠１ａとの間に進入してスライド板１２の復帰を阻止するように構成されているので、スライド板１２の連結板１２ａを連係するロック板１５ｂとロックバー９に連係する係合板１５ｄとを基板１５ａに対してそれぞれ反対方向に折り曲げて形成せねばならず、また、ロックプレート１５が上下方向へ滑らかにスライドするようにガイド板１５ｃを設けねばならないことからロックプレート１５の構造が複雑であるとともにガイド板１５ｃをカバー１７の開口１７ａを通して組付けねばならないので組立作業性が悪いという欠点を有する。さらに、ロックプレート１５が滑らかにスライドするようにガイド板１５ｃをカバー１７の開口１７ａを通して組付けているため、カバー１７の固着時や外扉１の開放時にガイド板１５ｃに外力が加えられてガイド板１５ｃがケース１６やカバー１７に圧接するようになった場合、最早スライド板１５のスムーズなスライドが保証されないという欠点を有する。
【００１０】
そこで、本発明は上記の点に鑑みなされたものであり、ロックプレートの構成が簡単でロックプレートの組立作業性を向上させることができ、ロックプレートをスムーズにスライドさせることが可能な自動販売機の扉ロック装置を提供することにある。
【課題を解決するための手段】
【００１１】
上記目的を達成するために本発明は、キャビネット本体の開口端部に設けたロック受金と、外扉を形成する扉枠の凹所に装着して前記ロック受金に係合・離脱する上下スライド式のロックバーとを備えた自動販売機であって、前記外扉の前面に設けた錠付きハンドルおよび該ハンドルに連結され、ハンドルの操作により前記ロックバーを上下にスライドさせる操作レバーからなる第１のロック手段と、前記ハンドルに並べて外扉の前面に設けた補助シリンダー錠、該補助シリンダー錠に連結された操作レバー、前記扉枠を貫通してロックバーに連係するように配設させるとともに常時ロックバーに係合する方向に付勢され、かつ、前記補助シリンダー錠に連結された操作レバーの回動に連動してロックバーから離脱するスライド板および該スライド板がロックバーから離脱した状態を一時的に保持してスライド板の復帰を阻止するとともにロックバーの上昇に連動してスライド板の復帰の阻止が解除されるロックプレートからなる第２のロック手段を備えた自動販売機の扉ロック装置において、前記扉枠を貫通してロックバーに連係するように配設されたスライド板は補助シリンダー錠に連結された操作レバーの回動に連動して扉枠を抜け出るように構成し、前記ロックプレートによるスライド板の復帰阻止位置を前記スイラド板が貫通する扉枠の貫通孔の位置に定め、前記スライド板が扉枠から抜け出た際にロックプレートが扉枠の貫通孔を塞ぐようにしたことを特徴とする（請求項１）。
また、本発明によれば、ロックプレートを、基板と同一面に形成されたロック片と、基板面に垂直に折り曲げられた係合片と、扉枠を挟んで基板面と平行となるように折り曲げられたガイド片とにより構成することができる（請求項２）。
【発明の効果】
【００１２】
以上述べたように、本発明によれば、キャビネット本体の開口端部に設けたロック受金と、外扉を形成する扉枠の凹所に装着して前記ロック受金に係合・離脱する上下スライド式のロックバーとを備えた自動販売機であって、前記外扉の前面に設けた錠付きハンドルおよび該ハンドルに連結され、ハンドルの操作により前記ロックバーを上下にスライドさせる操作レバーからなる第１のロック手段と、前記ハンドルに並べて外扉の前面に設けた補助シリンダー錠、該補助シリンダー錠に連結された操作レバー、前記扉枠を貫通してロックバーに連係するように配設させるとともに常時ロックバーに係合する方向に付勢され、かつ、前記補助シリンダー錠に連結された操作レバーの回動に連動してロックバーから離脱するスライド板および該スライド板がロックバーから離脱した状態を一時的に保持してスライド板の復帰を阻止するとともにロックバーの上昇に連動してスライド板の復帰の阻止が解除されるロックプレートからなる第２のロック手段を備えた自動販売機の扉ロック装置において、前記扉枠を貫通してロックバーに連係するように配設されたスライド板は補助シリンダー錠に連結された操作レバーの回動に連動して扉枠を抜け出るように構成し、前記ロックプレートによるスライド板の復帰阻止位置を前記スイラド板が貫通する扉枠の貫通孔の位置に定め、前記スライド板が扉枠から抜け出た際にロックプレートが扉枠の貫通孔を塞ぐようにしたことにより、ロックプレートの構成を簡単にすることができるとともにロックプレートの組立作業性を向上することができ、また、ロックプレートによるスライド板の復帰阻止位置を前記スイラド板が貫通する扉枠の貫通孔の位置としたことにより、ロックプレートは外部に露出することがなく、したがって、ロックプレートに予測しない外力が加わってロックプレートが変形することがないことから、ロックプレートが変形してロックプレートがスライドしなくなるというおそれがないという効果を有する。
【発明を実施するための最良の形態】
【００１３】
以下、本発明の実施の形態を図１乃至図３に示す実施例に基づいて説明する。なお、実施例の図中で図４〜図９に対応する部材には同一符号を付してその説明は省略する。図１は本発明の一実施例を示す自動販売機の扉ロック装置の要部を示す一部分解斜視図であり、図２は図１のＡ−Ａ断面図、図３はロックプレートの部品図を示す斜視図である。
【００１４】
図１において、９は外扉１の凹所１ｂ（図２参照）に上下方向にスライド自在に装着されたロックバーであり、外扉１の凹所１ｂは従来装置よりも横幅を狭く形成され、これに応じてロックバー９の横幅も狭く形成されている。１０および１１は第１のロック手段を構成するシリンダー錠付きハンドル（不図示）および第２のロック手段を構成する補助シリンダー錠７（図２参照）にそれぞれ連結された操作レバーであり、操作レバー１０は外扉１の扉枠１ａに形成した開口１ａ-1を通してロックバー９の角穴９ｂに嵌挿され、操作レバー１１はスライド板１２の連結板１２ａに連結されている。スライド板１２は従来装置と同様に連結板１２ａの下端側に突設された係合片（図６に示す係合片１２ｂ）が取付金１４の底面に形成された案内溝１４ｂに嵌挿入されて案内支持され、また、スライド板１２の連結片１２ａと取付金１４との間に復帰ばね１３が張架されている。前記スライド板１２は外扉１の扉枠１ａに形成した貫通孔１ａ-2を貫通して外扉１の凹所１ｂに装着されたロックバー９の角穴（図７に示す角穴９ｃ）に係合・離脱する。
１８は本発明に係るロックプレートであり、このロックプレート１８は図３に示すように、基板１８ａと，この基板１８ａの下部であって当該基板１８ａと同一面に形成されたロック片１８ｂと、前記基板１８ａからに垂直に折り曲げられた係合片１８ｃと、扉枠１ａの厚み分の間隙を介して基板１８ａの面と平行となるように折り曲げられたガイド片１８ｄおよび基板１８ａの上部であって基板１８ａと同一面に形成された補助ガイド片１８ｅとにより構成されている。このロックプレート１８は扉枠１ａに次のようにして組付けられている。すなわち、扉枠１ａには上下方向に延在する細長いガイド穴１９に連続してその上端側に幅の広い挿入穴１９ａと逃げ穴１９ｂが形成されており、前記ガイド穴１９と逃げ穴１９ｂの幅はロックプレート１８の板厚よりも若干大きく形成されており、前記逃げ穴１９ｂにロックプレート１８の係合片１８ｃの先端を挿入しつつ挿入穴１９ａからガイド片１８ｄを挿入し、当該ガイド片１８ｄを扉枠１ａを挟んで基板１８ａの反対側に突出させる。この状態でガイド片１８ｄと係合片１８ｃのそれぞれの基端部がガイド穴１９に嵌まり込むようにロックプレート１８を下方に引き下げる。これによりガイド片１８ｄと係合片１８ｃのそれぞれの基端部がガイド穴１９に嵌まり込んだ状態でロックプレート１８が扉枠１ａに装着され、この際、扉枠１ａを挟んで一方の面にロック片１８ｂ，補助ガイド片１８ｅが配置され、他方の面にガイド片１８ｄが配置されることにより、ロックプレート１８はガイド穴１９を中心として回転することなくガイド穴１９に沿って上下方向にスムーズにスライドすることができる。そして、第１のロック手段および第２のロック手段が外扉１を閉位置にロックした状態ではロックプレート１８のロック片１８ｂが扉枠１ａの貫通孔１ａ-2を貫通したスライド板１２の上縁に当接して上昇した待機位置に保持されている。なお、係合片１８ｃは従来装置の係合板１５ｄと同様にロックバー９の角穴９ｄ（図７参照）に嵌挿されている。
【００１５】
次にロックプレート１８の機能を外扉１の開閉動作にしたがって説明する。図１および図２は第１のロック手段と第２のロック手段がロック状態にある場合を示しており、第２のロック手段を構成するロックプレート１８のロック片１８ｂが扉枠１ａを貫通するスライド板１２の上縁に載ってロックプレート１８が上昇した待機位置に保持されている。この状態から補助シリンダー錠７（図２参照）をキーを差し込んで回転操作させて開錠させると操作レバー１１が図１において反時計方向に回動する。この操作レバー１１の反時計方向への回動に連動してスライド板１２が図１の左方向にスライドしてロックバー９の側面に開口した角穴９ｃ（図７参照）から離脱するとともに扉枠１ａの貫通孔１ａ-2から抜け出る。ここで、スライド板１２のストロークは従来装置と同一であるにもかかわらず、スライド板１２が扉枠１ａの貫通孔１ａ-2から抜け出るのは、ロックバー９が装着された外扉１の凹所１ｂ（図２参照）の横幅を従来装置よりも狭く形成し、従来装置と同一のストロークであってもスライド板１２が扉枠１ａの貫通孔１ａ-2から抜け出るようにしたことによる。
前述したとおり、スライド板１２が扉枠１ａの貫通孔１ａ-2から抜け出ると、それまでロック片１８ｂがスライド板１２の上縁に載って待機位置に保持されていたロックプレート１８はロック片１８ｂがスライド板１２による保持を失うことによって下降し、ロック片１８ｂが扉枠１ａの貫通孔１ａ-2を塞いでスライド板１２の復帰を阻止する状態となる。この時、従来装置と同様にロックバー９の角穴９ｄ（図７参照）に嵌挿されたロックプレート１８の係合片１８ｃが角穴９ｄの下縁に当接してロックプレート１８はロック片１８ｂが扉枠１ａの貫通孔１ａ-2を塞いだ下降停止位置に保持される。この状態でスライド板１２は復帰阻止状態に置かれる。そして、ハンドル６（図５参照）の操作により操作レバー１０を介してロックバー９が上方に押し上げられると、このロックバー９の上昇に伴ってロックプレート１８が上昇する。ロックプレート１８が上昇するとロック片１８ｂにより塞がれていた扉枠１ａの貫通孔１ａ-2が開放される。言い換えれば、ロック片１８ｂによるスライド板１２の復帰阻止状態が解除され、スライド板１２は復帰ばね１３の付勢力によって右方向（図１）に移動する。前記ロック片１８ｂによるスライド板１２の復帰阻止状態が解除された時、ロックバー９の角穴９ｃ（図７参照）はスライド板１２の対峙位置から上昇しており、スライド板１２はロックバー９の側面に当接した待機状態となる。この状態はロックバー９の上昇によりロック受金８（図５参照）とロックバー９との係合が外れるまでの過程において実行される。ロック受金８（図５参照）との係合が外れるまで上方に引き上げられたロックバー９は不図示の係止機構のより上昇位置に保持されるので、外扉１を開放した際にはスライド板１２がロックバー９に当接した待機状態に維持される。そして、外扉１を閉じると前記係止機構によるロックバー９の保持が解除され、ロックバー９が自動的に下降してロック受金８に係合するとともにロックバー９の角穴９ｃが待機状態のスライド板１２に対峙してスライド板１２は自動的に開口９ｃに嵌挿される。
【００１６】
前述したように、キャビネット本体の開口端部に設けたロック受金８と、外扉１を形成する扉枠１ａの凹所１ｂに装着して前記ロック受金８に係合・離脱する上下スライド式のロックバー９とを備えた自動販売機であって、前記外扉１の前面に設けた錠付きハンドル６および該ハンドル６に連結され、ハンドル６の操作により前記ロックバー９を上下にスライドさせる操作レバー１０からなる第１のロック手段と、前記ハンドル６に並べて外扉１の前面に設けた補助シリンダー錠７、該補助シリンダー錠７に連結された操作レバー１１、前記扉枠１ａを貫通してロックバー９に連係するように配設させるとともに常時ロックバー９に係合する方向に復帰ばね１３により付勢され、かつ、前記補助シリンダー錠７に連結された操作レバー１１の回動に連動してロックバー９から離脱するスライド板１２および該スライド板１２がロックバー９から離脱した状態を一時的に保持してスライド板１２の復帰を阻止するとともにロックバー９の上昇に連動してスライド板１２の復帰の阻止が解除されるロックプレート１８からなる第２のロック手段を備えた自動販売機の扉ロック装置において、前記扉枠１ａを貫通してロックバー９に連係するように配設されたスライド板１２は補助シリンダー錠７に連結された操作レバー１１の回動に連動して扉枠１ａを抜け出るように構成し、前記ロックプレート１８によるスライド板１２の復帰阻止位置を前記スイラド板１２が貫通する扉枠１ａの貫通孔１ａ-2の位置に定め、前記スライド板１２が扉枠１ａから抜け出た際にロックプレート１８が扉枠１ａの貫通孔１ａ-2を塞ぐようにしたことにより、ロックプレート１８の構成を簡単にすることができるとともにロックプレート１８の組立作業性を向上することができ、また、ロックプレート１８によるスライド板１２の復帰阻止位置を前記スイラド板１２が貫通する扉枠１ａの貫通孔の位置としたことにより、ロックプレート１８が外部に露出することがないことから、ロックプレート１８に予測しない外力が加わってロックプレート１８が変形することがなく、したがって、ロックプレート１８が変形してロックプレート１８がスライドしなくなるというおそれがない。
【図面の簡単な説明】
【００１７】
【図１】本発明の一実施例を示す自動販売機の扉ロック装置の要部を示す一部分解斜視図
【図２】図１のＡ−Ａ断面図
【図３】本発明にかかるロックプレートの部品図を示す斜視図
【図４】一般的な自動販売機の正面図
【図５】図４の自動販売機の扉ロック装置の概略構成図
【図６】図５の第２のロック手段を示す斜視図
【図７】図５に対応した従来装置の詳細構造を示す背面図
【図８】図７におけるＢ−Ｂ断面図
【図９】図７の斜視図
【図１０】従来装置のロックプレートの部品図を示す斜視図
【符号の説明】
【００１８】
１    外扉
６    シリンダー錠付きハンドル
７    補助シリンダー錠
８    ロック受金
９    ロックバー
１０  ，１１    操作レバー
１２  スライド板
１３  復帰ばね
１８  ロックプレート
１８ａ  基板
１８ｂ  ロック片
１８ｃ  係合片
１８ｄ  ガイド片
【図１】
2006146637.tif 000003
【図２】
2006146637.tif 000004
【図３】
2006146637.tif 000005
【図４】
2006146637.tif 000006
【図５】
2006146637.tif 000007
【図６】
2006146637.tif 000008
【図７】
2006146637.tif 000009
【図８】
2006146637.tif 000010
【図９】
2006146637.tif 000011
【図１０】
2006146637.tif 000012